(57)【要約】【課題】横見当制御を容易かつ簡単に行なうことができる多色印刷装置を提供する。【解決手段】多色印刷装置は、連続して配置された複数の版胴１１を備え、各版胴１１間を走行するウェブＷに対して走行方向に延びるストライプ状の線を印刷する。各版胴１１はスパイラル状の印刷用セル１１ａを有している。各版胴１１は個別の駆動モータ１８により駆動され、回転位相の調整を容易に行なうことができる。【選択図】  図１
2004174760.tif 000002
【特許請求の範囲】
【請求項１】
連続して配置された複数の版胴を備え、各版胴間に被印刷物を走行させることによって、被印刷物に走行方向に延びるストライプ状の線を印刷する多色印刷装置において、
各版胴はスパイラル状の印刷用セルを有するとともに、回転位相が調整可能な駆動部により駆動されることを特徴とする多色印刷装置。
【請求項２】
駆動部は各版胴毎に設けられた駆動モータからなることを特徴とする請求項１記載の多色印刷装置。
【請求項３】
駆動部はラインシャフトと、ラインシャフトに接続され、各版胴毎に設けられた変速機とからなることを特徴とする請求項１記載の多色印刷装置。
【発明の詳細な説明】
【０００１】
【発明の属する技術分野】
本発明は、被印刷物にストライプ状の線を印刷する多色印刷装置に係り、とりわけ横見当制御を容易に行なうことができる多色印刷装置に関する。
【０００２】
【従来の技術】
従来より連続して配置された複数の版胴を有するグラビア印刷装置が知られている。このようなグラビア印刷装置により被印刷物に対してストライプ状の線を印刷する場合、横見当制御を行なう必要がある。
【０００３】
横見当制御を行う場合、従来では各版胴を軸方向にスライドさせることにより、見当制御を行なっている。この際、版胴のギアサイド（ＧＳ）を基準として、ＧＳに横見当用の移動調整機構を持たせ、マンサイド（ＭＳ）を自由端として、ＧＳの移動に追従させ、見当を合せる事が一般的に行なわれている。
【０００４】
例えばＧＳにおいて、図１（ａ）に示すように、版胴１１は軸受ハウジング２１により支持され、軸受ハウジング２１はサーボモータボールネジ方式の移動調整機構２２により移動可能となっている。あるいはまた、図１（ｂ）に示すように版胴１１は軸受ハウジング２１により支持され、軸受ハウジング２１はコッター方式の移動調整機構２２により移動可能となっている。さらに、図１（ｃ）に示すように、版胴１１はスラスト軸受２３により支持され、スラスト軸受２３は移動調整機構２２により移動可能となっている。
【０００５】
一方、版胴１１のＭＳは、ＧＳの動きに追従するよう、軸受２６とハウジング２７とを滑らせたり（図５（ａ））、あるいは軸２５と軸受（カムフォロア）２６を滑らせることによりＧＳの移動に追従させる事を可能にしている（図５（ｂ））。
【０００６】
【発明が解決しようとする課題】
しかしながら、上述のような横見当用の版胴１１の移動調整機構は構造が複雑であり、版胴１１を含む各ユニット全体としても機械要素が増大し、複雑となって大型化する。
【０００７】
また、求められる横見当制御の精度が高くなる程、調整が高度となり、調整時間が長くなって設置コスト、メンテナンスコストが増加する。
【０００８】
本発明はこのような点を考慮してなされたものであり、横方向見当制御を容易かつ簡単に行なうことができる多色印刷装置を提供することを目的とする。
【０００９】
【課題を解決するための手段】
本発明は、連続して配置された複数の版胴を備え、各版胴間に被印刷物を走行させることによって、被印刷物に走行方向に延びるストライプ状の線を印刷する多色印刷装置において、各版胴はスパイラル状の印刷用セルを有するとともに、回転位相が調整可能な駆動部により駆動されることを特徴とする多色印刷装置である。
【００１０】
本発明は、駆動部は各版胴毎に設けられた駆動モータからなることを特徴とする多色印刷装置である。
【００１１】
本発明は、駆動部はラインシャフトと、ラインシャフトに接続され、各版胴毎に設けられた変速機とからなることを特徴とする多色印刷装置である。
【００１２】
【発明の実施の形態】
以下、図面を参照して本発明の実施の形態について説明する。図１乃至図３は本発明による多色印刷装置の一実施の形態を示す図である。
【００１３】
図１乃至図３に示すように、多色印刷装置は連続して配置された複数の印刷ユニット１０を備え、各印刷ユニット間に被印刷物（ウェブ）Ｗを走行させることによりウェブＷに対して走行方向に延びるストライプ状の線２，３，４を印刷するようになっている。
【００１４】
各印刷ユニット１０は、ウェブＷに対して各々ストライプ状の線２，３，４を印刷するものであり、各印刷ユニット１０は略同一構成を有している。このため、ここでは一つの印刷ユニット１０のみについて説明する。
【００１５】
図１に示すように、印刷ユニット１０はフレーム１９に固定された軸受部１３，１４により回転自在に支持された版胴１１と、版胴１１に対してウェブＷを押付ける圧胴１２とを備えている。圧胴１２はフレーム１９に対して移動自在に連結された軸受部１５，１６により支持されている。
【００１６】
また版胴１１は、カップリング１７を介して駆動モータ１８により駆動されるようになっている。
【００１７】
図１に示すように、版胴１１はその表面に、ストライプ状の線２，３，４を印刷するためのスパイラル状の印刷用セル１１ａを有している。このように版胴１１のセル１１ａはスパイラル状となっているため、後述のように各版胴１１間において位相をずらすことにより、横見当制御を容易に行なうことができる。
【００１８】
また、各版胴１１の駆動モータ１８は、各版胴１１毎に設置され、対応する版胴１１を独立して駆動するようになっている。
【００１９】
なお、各版胴１１に駆動モータ１８を設けることなく、各版胴１１をラインシャフトにより同期して駆動するとともに、ラインシャフトと各版胴１１との間に、ハーモニックドライブ変速機を設けて各版胴１１間の位相を調整してもよい。
【００２０】
次にこのような構成からなる本実施の形態の作用について説明する。
【００２１】
まず図２に示すように、ウェブＷに対して第１ユニットの版胴１１により第１色目のストライプ状の線２を印刷する。次に第２ユニットの版胴１１により第２色目のストライプ状の線３を印刷する。
【００２２】
次に、横見当制御について説明する。すなわち印刷中に第１色目の線２と、第２色目の線３との間で横見当制御を行なう場合、次のような動作が行なわれる。
【００２３】
すなわち、第１ユニットの版胴１１により第１色目の線２を印刷し、第２ユニットの版胴１１により第２色目の線３を印刷する。このような印刷工程において、第２ユニットの版胴１１により印刷される線３を上方にずらしたい場合、第２ユニットの版胴１１の周速を変化させて位相をわずかに進ませる（図３（ａ））。このことにより版胴１１のセル１１ａの位置が横見当制御をしない位置１１ｂからわずかに上方へ移動し、これに伴なって版胴１１によりウェブＷに印刷される線３が横見当制御をしない場合の線３ａの位置から上方へ移動する。このようにして、第２ユニットの版胴１１により印刷される線３を上方へ移動させることができる。
【００２４】
このようにして横見当制御をした後、版胴１１の周速をもとに戻す。版胴１１の周速を変化させる際、ウェブＷと版胴１１との間で滑らせてこの周速の変化を吸収するか、または版胴１１間に設置されたコンペンセータローラ（図示せず）によりこの周速の変化を吸収する。
【００２５】
一方、第２ユニットの版胴１１により印刷される線３を下方へずらしたい場合、第２ユニットの版胴１１の位相をわずかに遅らせる（図３（ｂ））。このことにより版胴１１のセル１１ａの位置が横見当制御をしない位置１１ｂからわずか下方へ移動し、これに伴なって版胴１１によりウェブＷに印刷される線３が横見当制御をしない場合の線３ａの位置から下方へ移動する。
【００２６】
以上のように、本実施の形態によれば、各ユニットの版胴１１の位相をわずかに進ませたり遅らせるだけで、ウェブに印刷されるストライプ状の線の横見当制御を容易かつ簡単に行なうことができる。
【００２７】
【発明の効果】
以上のように本発明によれば、版胴の位相を調整するだけで横見当制御を容易かつ簡単に行なうことができる。このため横見当用の版胴移動調整機構が不要となり、装置全体の小型化および簡略化を図ることができ、これによりメンテナンス作業も簡略化される。
【図面の簡単な説明】
【図１】本発明による多色印刷装置の一実施の形態を示す図。
【図２】多色印刷装置による印刷工程を示す図。
【図３】多色印刷装置の横見当制御を行なう状態を示す図。
【図４】従来の多色印刷装置を示す概略図。
【図５】従来の多色印刷装置を示す概略図。
【符号の説明】
２  印刷されたストライプ状の線
３  印刷されたストライプ状の線
１０  印刷ユニット
１１  版胴
１１ａ  スパイラル状のセル
１２  圧胴
１３，１４，１５，１６  軸受け
１８  駆動モータ
１９  フレーム
Ｗ  ウェブ
【図１】
2004174760.tif 000003
【図２】
2004174760.tif 000004
【図３】
2004174760.tif 000005
【図４】
2004174760.tif 000006
【図５】
2004174760.tif 000007